(57)【要約】【課題】回収部における明細票の収納容量を増加し、またカール癖の強い明細票でも整列収納できるようにする。【解決手段】回収部６内に可動する回収ガイド１を設け、回収済みの紙葉類９のカール癖が強い場合にはカール癖を押さえて形を整え、後に回収される紙葉類１０が回収済み紙葉類９に追突するのを防止するように構成する。回収済み明細票９が増えるにつれて、回収ガイド１を収納スペースから逃げるように可動させることにより紙葉類の収納容量を確保する。【選択図】  図４
2007153567.tif 000002
【特許請求の範囲】
【請求項１】
搬送されて来る紙葉類を回収して収納する紙葉類回収機構において、
紙葉類を搬送する搬送路と、該搬送路より搬送される紙葉類を回収する回収部と、該回収部に回収される紙葉類に接触可能な状態に配置された回動可能な回収ガイドを設け、該回収ガイドによって、回収済みの紙葉類のカール癖が強い紙葉類に対してはカール癖を押さえ、かつ回収済みの紙葉類の増加に伴って該回収ガイドを収納スペースから逃げる方向へ回動させるように構成したことを特徴とする紙葉類回収機構。
【請求項２】
搬送されて来る紙葉類を回収して収納する紙葉類回収機構において、
紙葉類を搬送する搬送路と、該搬送路より搬送される紙葉類を回収する回収部と、該回収部に回収される紙葉類に接触可能な状態に位置付けられた回収ガイドと、該回収ガイドを支持し、該回収ガイドの位置を移動可能に変化させることができる回動機構とを有し、
回収済みの紙葉類のカール癖の程度に応じて該回収ガイドにて紙葉類を押えるように、該回動機構によって該回収ガイドを移動させ、かつ該回収部に収納される紙葉類の増加に従って、該回動機構は該回収ガイドを水平状態に近づけるように移動させるように構成したことを特徴とする紙葉類回収機構。
【請求項３】
前記回動機構は、所定の軸を中心にして該回収ガイドを揺動させる揺動機構であることを特徴とする請求項２の紙葉類回収機構。
【請求項４】
前記回動機構は、所定の軸を中心にして該回収ガイドを揺動させるスプリング機構であることを特徴とする請求項２の紙葉類回収機構。
【請求項５】
該回収部の中で、後で回収される紙葉類の先端が、回収済みの紙葉類のカール癖により形成された山型の頂点を超えた位置に到達してから回収済みの紙葉類の上に落下するように構成することを特徴とする請求項１乃至４のいずれかの紙葉類回収機構。
【請求項６】
前記搬送路には、該紙葉類を搬送する搬送ベルトと、搬送される該紙葉類を該搬送ベルトとの間に挟むように配置された軟質シートとが備えられ、該軟質シートによって、該紙葉類のカール癖を搬送方向の剛性が強まる方向に矯正し、該紙葉類の先端が該回収部の奥まで到達できるように構成したことを特徴とする請求項１乃至５のいずれかの紙葉類回収機構。
【発明の詳細な説明】
【技術分野】
【０００１】
本発明は、紙葉類回収機構に係り、例えば金融機関等で使用されている現金自動預払機(ＡＴＭ)に搭載されている取り引き内容を明細票に印字して発行するレシートプリンタや各種発券機における紙葉類回収機構に関するものである。
【背景技術】
【０００２】
ＡＴＭ等のような、明細票に取り引き情報を印刷して顧客に発行する装置の場合、装置内の所定の場所に明細票をセットするための利便性を考慮して、ロール状の明細票（ロール紙）が使用されている。装置内にセットされたロール紙は、所定の長さ分繰り出されて印刷が施され、所定の長さに切断されて、１枚ずつ発行される。
また、顧客が取り忘れた明細票を回収したり、１日の取り引きの集計を印刷して回収して保管するための回収部が用意される。この回収部には、カール癖のある明細票も収納されることがある。
【０００３】
顧客が取り忘れた、カール癖のある明細票の回収に関する公知例として、例えば、特許文献１（実開平６−２４８２公報）には、取り忘れ明細票がカールしたり折れ曲がっていたりしても、これにより明細票収納ボックス内の収納限界を誤検知することのない明細票取り扱い装置を提供し、現金自動取引装置の稼働率向上及び係員の作業負担を軽減する技術が開示されている。
また、特許文献２（特開平８−１６１５４８公報）には、取り忘れレシートの回収において、機構が簡単で、かつ整列した状態で回収収納するために、レシートのカール状態を利用して、回収箱内にレシートを整列収納するようにした券売機等におけるレシート収納機構が開示されている。
【０００４】
【特許文献１】実開平６−２４８２公報
【特許文献２】特開平８−１６１５４８公報
【発明の開示】
【発明が解決しようとする課題】
【０００５】
近年、金融機関等のＡＴＭでは、無停止運用や係員操作の容易化が要求されている。無停止運用のためには、セット可能な発行前の明細票の量を増やすこと、また顧客が取り忘れた明細票や取り引きの集計などを装置内に回収して保管しておく回収部の大容量化を図ることが重要となる。
【０００６】
上記公知例のような明細票の回収機構を前提として、明細票の回収量を増加させるために単純に回収部を拡大した場合、明細票の回収量が少ない時期にカール癖の強い明細票が回収されると、その強いカール癖により回収済みの明細票が回収部の中で丸くなり、回収部のスペースを無駄に消費してしまう。これでは回収量の大幅な増加が期待できない。
また、回収部に明細票が整列して収納されていても、収納された明細票のカール癖の丸みに、次の明細票が衝突するように進入すると、やはり丸くなり、回収部のスペースを無駄に消費して回収量を増加することができない。
【０００７】
このため、明細票が丸くならないように重ねて回収部に整列収納することが重要である。このように整列収納することで、容量が増え、また回収後の明細票の取り出しや明細票の内容を確認することが容易になる。
なお、回収する明細票に折れ目をつけてカール癖をつけることもできるが、顧客が取り忘れた明細票を、係員が連絡を受けて回収部から取り出してその顧客に渡すときに、折れ目のついた明細票を渡すことになるため、外観が悪くなる問題がある。
【０００８】
本発明の目的は、収納時に折れのない状態でカール癖のある紙葉類を整列して収納することができ、かつ収納の容量を増やすことができる紙葉類回収機構を提供することにある。
【課題を解決するための手段】
【０００９】
本発明は、好ましくは、回収部内に可動する回収ガイドを設け、回収済みの紙葉類のカール癖が強い場合にはカール癖を押さえて形を整え、後に回収される紙葉類が回収済み紙葉類に追突するのを防止するように構成したものである。回収済み紙葉類が増えるにつれて、この回収ガイドを収納スペースから逃げるように可動させることにより紙葉類の収納容量を確保するものである。
【００１０】
本発明の好ましい例では、搬送されて来る紙葉類を回収して収納する紙葉類回収機構において、紙葉類を搬送する搬送路と、搬送路より搬送される紙葉類を回収する回収部と、回収部に回収される紙葉類に接触可能な状態に位置付けられた回収ガイドと、回収ガイドを支持し、回収ガイドの位置を移動可能に変化させることができる回動機構とを有し、回収済みの紙葉類のカール癖の程度に応じて回収ガイドにて紙葉類を押えるように、回動機構によって回収ガイドを移動させ、かつ回収部に収納される紙葉類の増加に従って、回動機構は回収ガイドを水平状態に近づけるように移動させるように構成される紙葉類回収機構である。
好ましくは、前記回動機構は、所定の軸を中心にして回収ガイドを揺動させる揺動機構である。一例では、この回動機構は、所定の軸を中心にして回収ガイドを揺動させるスプリング機構である。
また、好ましくは、回収部の中で、後で回収される紙葉類の先端が、回収済みの紙葉類のカール癖により形成された山型の頂点を超えた位置に到達してから回収済みの紙葉類の上に落下するように構成される。
また、好ましい例では、前記搬送路には、紙葉類を搬送する搬送ベルトと、搬送される紙葉類を搬送ベルトとの間に挟むように配置された軟質シートとが備えられ、軟質シートによって、紙葉類のカール癖を搬送方向の剛性が強まる方向に矯正し、紙葉類の先端が回収部の奥まで到達できるように構成される。
【発明の効果】
【００１１】
本発明によれば、紙葉類の収納時にも折れのない状態でカール癖のある紙葉類を整列して収納することができ、収納部の収納容量を増やすことができる。これにより紙葉類の発行に係る係員の保守頻度を低減させることができる。
【発明を実施するための最良の形態】
【００１２】
以下、図面を参照しながら、本発明の実施例について説明する。
図１は、一実施例に係る明細票回収機構を示す。この図において、明細票回収機構は、明細票を回収部へ搬送する搬送機構２３、搬送路２４、回収部２５、回収部２５内に回収された明細票のカール癖を抑え、回収された明細票に接触してその位置を整える回収ガイド２１及び、回収ガイド揺動機構２２を備えて構成される。回収ガイド揺動機構２２は、軸Ｘを中心にして回収ガイド２１を回転可能に支持する構造であり、明細票の回収量及びカール癖の形状に応じて回収ガイド２１を揺動させて、その位置を変化させる機構となっている。
搬送機構２３は、回収済みの明細票３１が回収部２５の中に存在する場合に、回収部２５の中で次に回収する回収中の明細票３３の先端が、回収済みの明細票３１のカール癖により形成された山型の頂点Ｍを超えた位置Ｈ点に到達してから回収済みの明細票３１上に落下するように構成されている。
【００１３】
次に、明細票回収機構の動作について説明する。
明細票３２が搬送路２４を搬送されてくると、明細票３２はカール癖による上に山になる向きで搬送路２４を進み、搬送機構２３により回収部２５へ搬送されて回収され、回収済みの明細票３１を回収部の中にカール癖による上に山になる方向になるように収納される。この方向に収納されることで、明細票３１の後端が回収部２５の入り口をふさぎにくくなる。
この回収部２５にカール癖が強い明細票が回収された場合、図８に示すように、回収済み明細票３１は、カール癖の山の上部が搬送機構２３に絶えず接触し、回収部２５の奥に折れ曲がって回収されてしまうことがある。
【００１４】
ここで、本実施例による回収ガイド遥動機構２２が無い場合、搬送機構２３は、回収済みの明細票３１を回収部の中で更に奥に移動させ、回収済みの明細票３１は回収部２５の上部へ変形し回収ガイド２１を上方向に押し上げる。このときカール癖により形成された山型の頂点はＨ点よりも奥に移動しており、次に回収されてくる回収中の明細票３３の先端は、Ｈ点を通過するため回収済み明細票３１の山型の中ほどに追突し、図９及び図１０に示すように、回収部２５の中で回収中の明細票３３又は回収済みの明細票３１が丸くなってしまい、回収部２５のスペースを余分に消費し、明細票の回収量を増加することができなくなる。
【００１５】
一方、本発明の実施例においては、回収ガイド揺動機構２２があるので、回収済みの明細票３１は絶えず搬送ベルト２３に接触し、回収部２５の上部へ変形して回収ガイド２１を上方向に押し上げようとするが、回収ガイド２１は、回収ガイド揺動機構２２により回収中の明細票３３を下方向に押し下げ、その明細票を回収部２５に整列収納する。
【００１６】
またカール癖の強い明細票が既に回収部２５へ収納されている場合、図２のように次に回収されてくる回収中の明細票３３は、回収済みの明細票３１により搬送機構２３に押し付けられ、回収部２５の上部へ変形し回収ガイド２１を上方向に押し上げようとする。このとき回収ガイド２１は、回収ガイド揺動機構２２により明細票を下方向に押し下げ、回収された明細票を回収部２５に整列収納する。
このように回収ガイド２１は、回収済の明細票３１のカール癖による山型形状を維持し、その山型の頂点Ｍが回収中の明細票３３が通過するＨ点よりも搬送路２４側に位置するように機能する。
【００１７】
図２のように、回収部２５へ明細票が順次整列収納されると、回収ガイド２１は、回収ガイド揺動機構２２により明細票の整列収納の妨げにならない位置まで退避する。回収ガイド２１がカール癖の強い明細票を整列収納する形に固定されている場合、回収部２５へ回収されてきた明細票が収納されて行くに従い、回収ガイド２１に衝突して行くことになり、整列収納の妨げとなり回収容量の増加にならない。このため回収ガイド２１は、回収済み明細票３１が無い場合もしくは少量の場合は下方に位置しているが、回収済みの明細票３１が増えてくるにつれて回収ガイド遥動機構２２により回収ガイド２１を矢印ｃ方向（図２）へ揺動させ、明細票の収納量に合わせて上方に退避する状態になる。そしてついには、図３のように回収ガイド２１の面は水平状態になる位置まで移動する。
【００１８】
・他の実施例
次に、図４を参照して他の実施例について説明する。
図４は、他の実施例によるＡＴＭにおける明細票回収機構の例を示す。図４において、明細票回収機構は、搬送路１１、搬送機構１４、回収部６、前壁７、回収ガイド１、回収ガイド１の揺動機構としてスプリング２を備えて構成される。
搬送機構１４は、搬送ベルト３、ガイドローラ５、ベルトローラ８、駆動ローラ１２、及び弾力性のある軟質シート４で構成される。回収ガイド１は、ベルトローラ８の軸を中心に回転揺動することができ、回収ガイド揺動機構としてスプリング２が取り付けられている。搬送ベルト３は、ガイドローラ５により上方向に伸長され、常に張力のかかった状態に保たれる。回収部６は斜め構造になっており、明細票が回収されたときに明細票の自重により、回収部６と前壁７により形成される角を基準として整列収納される。
【００１９】
次に、図４の明細票回収機構における明細票の回収動作について説明する。
搬送中の明細票１０は、矢印ａ方向に搬送路１１を搬送され、ガイドローラ５の部分で搬送機構１４に受け渡される。ガイドローラ５が搬送ベルト３を上に押し上げることにより、ガイドローラ５が搬送ベルト３を押し上げている部分は、搬送中の明細票１０が搬送路１１から搬送機構１４に受け渡される時の案内としての機能も果たしている。
【００２０】
搬送機構１４では、搬送ベルト３を上に、カプトンやＰＥＴ（ポリエチレンテフタレート）製の軟質シート４を下とし、その間に挟まれることにより明細票が搬送される。軟質シート４は、折れ目なく涙型になっており、図５のように搬送ベルト３の外側に位置し、搬送ベルト３と軟質シート４とに挟まれた回収中の明細票１０はＵの字型に変形する。Ｕ字型に変形することにより回収中の明細票１３についていたカール癖が搬送方向（ｂ方向）の剛性が強まる方向に矯正され、その先端が回収部６のより奥まで到達することができる。明細票の後端が軟質シート４から先に進むと、明細票後端から軟質シート４がはずれ、両端の押し上げによるＵ字型の矯正と挟持が無くなり明細票は回収部６へ落下する。
【００２１】
このように、回収中の明細票１３をＵの字型に変形させ、カール癖を矯正させているものが軟質シート４であるため、大きく撓むことができる。また、回収中の明細票１３が軟質シート４を離れるとき、上方向だけではなく横方向にも開きながら明細票を挟持から開放し、回収中の明細票１３に強い折れ目をつけることなく回収部６に明細票を回収でき、回収された明細票９に対して折れ目を残すことなく、整列収納することが可能となる。
【００２２】
また、図７のように多くの明細票が整列収納されている場合、新しく収納する明細票を軟質シート４が挟持する際に、軟質シート４の涙型に輪を形成している部分が既に収納されている明細票の後端を下に押し付け、既に整列収納されている明細票１５と搬送ベルト３との間に間隙を作るため、新しく収納する明細票の先頭が、既に整列収納されている明細票１５の後端に衝突することなく収納できる。
【００２３】
この搬送機構１４により搬送された明細票は、図６のように、数枚の明細票９が回収部６にある場合、次に搬送されて来る回収中の明細票１３の先端が、既に回収された明細票９のカール癖でできた山型変形の最上点Ａよりも前壁７側のＣ部分に進んでから搬送中のＵの字変形が終われば、既に回収されたカール癖のある明細票９の最上点Ａよりも後ろ側のＢ部分に次の明細表の先端が到達するため、衝突が発生せずに整列収納することができる。
【００２４】
空の回収部６にカール癖が強い明細票が搬送されて回収される場合、カール癖の強い明細票は、カール癖の山の上部が搬送ベルト３に接触し、回収部の上部へ変形し回収ガイド１を上方向に押し上げる。このとき回収ガイド１は、スプリング２によりカール癖の強い明細票を下方向に押し下げ、山型変形の最上点Ａの位置を回収箱の進入口側に移動させるため、回収される明細票を回収部６に整列収納することができる。ここで、回収ガイド揺動機構のスプリング２は、明細票のカール癖をある程度の枚数分を押さえつけることができるが、図７のように、回収部６へ明細票が順次整列収納されると、明細票を積み重ねる力よりもスプリング２のばね力のほうが弱くなるように設定されており、その後の収納には差し支えない。
【００２５】
また、図７のように回収部６に多数の明細票１５が入っている場合は、搬送ベルト３で整列収納されている明細票のカールが強制され、山型変形の最上点Ａは侵入口側に移動するため、少数枚のときよりも追突が発生しにくい。この状態では、回収ガイド１は収納スペース外に退避しており、整列収納の妨げにならずに、明細票の収納容量を増やすことができる。
【００２６】
・変形例、代替例について
以上、本発明の実施例について説明したが、本発明は上記実施例に限定されず、種々変形して実施し得る。例えば、上記実施例では、明細票の回収量及びカール癖の形状に合わせて回収ガイドの位置を変化させる機構をスプリング２にて実現している。しかし、代替例では、この機構をリンク機構や回収ガイド１に対する錘、形状記憶合金等によって実現することができる。また、少数枚のカール癖を押さえつけられ、整列収納で積み重ねる力よりも弱くなるばね力が設定できない、折れやすい用紙や薄い用紙等の場合には、回収された明細票の形状や量を反射型センサ、接触センサ、イメージセンサ等により検知して、回収ガイドを動作させることにより、整列収納できる。
【００２７】
また、搬送ベルト３を移動させることにより（主に上方向）、回収量の増加を図ることもできる。また、軟質シート４は、１つに限らず、複数あってもよい。
また、上記実施例において、回収ガイド１は直線状の単一部品であるが、この回収ガイド１は円弧形状又は複数の間接部を有する形状としてもよい。
【００２８】
なお、上記実施例は、ＡＴＭに搭載されるレシートプリンタに適用した場合の紙葉類回収機構の例について説明したものであるが、本発明に係る紙葉類回収機構は、これに限定されず、一般のレシートプリンタ、ＪＲ端末や宝くじ端末のような発券機にも適用することができる。
【図面の簡単な説明】
【００２９】
【図１】一実施例による明細票回収機構の概略を示す図。
【図２】一実施例による明細票回収部６における明細票の収納状態を示す図。
【図３】一実施例による明細票回収部６における明細票の収納状態を示す図。
【図４】他の実施例によるＡＴＭの明細票回収機構を示す図。
【図５】他の実施例による明細票回収部６の前から見た概略を示す図。
【図６】他の実施例による明細票回収機構を示す図。
【図７】他の実施例による明細票回収部６における明細票の整列収納の状態を示す図。
【図８】明細票回収部６における明細票の収納状態を示す図。
【図９】明細票回収部６における明細票の収納状態を示す図。
【図１０】明細票回収部６における明細票の収納状態を示す図。
【符号の説明】
【００３０】
１：回収ガイド  ２：スプリング  ３：搬送ベルト  ４：軟質シート  ５：ガイドローラ  ６：回収部  ７：前壁  ８：ベルトローラ  ９：回収済み明細票  １０：搬送中明細票  １１：搬送路  １２：駆動ローラ  １３：回収中の明細票  １４：搬送機構  １５：整列収納されている明細票  ２１：回収ガイド  ２２：回収ガイド揺動機構  ２３：搬送機構  ２４：搬送路  ２５：回収部  ３２：搬送中の明細票  ３１：回収済みの明細票  ３３：回収中の明細票  ３４：整列収納された明細票
【図１】
2007153567.tif 000003
【図２】
2007153567.tif 000004
【図３】
2007153567.tif 000005
【図４】
2007153567.tif 000006
【図５】
2007153567.tif 000007
【図６】
2007153567.tif 000008
【図７】
2007153567.tif 000009
【図８】
2007153567.tif 000010
【図９】
2007153567.tif 000011
【図１０】
2007153567.tif 000012